(57)【要約】【課題】視認容易なパッド配置標識を有し、吸収性パッドをシャーシの内面において性別ごとに互いに異なる適正な位置に配置することのできる使い捨て着用物品。【解決手段】シャーシ１１は、少なくともクロッチ域１５の肌対向面において、吸収性パッド１２の外形状を有するパッド配置標識６１，６２を有し、吸収性パッド１２は、縦方向Ｙにおいて対向する第１端縁部１２ａと第２端縁部１２ｂとを有し、パッド配置標識６１，６２は、吸収性パッド１２の第１端縁部１２ａを第１ウエスト域１３側に位置させる第１パッド配置標識６１と、吸収性パッド１２の第２端縁部１２ｂを第１ウエスト域１３側に位置させる第２パッド配置標識６２から成る。【選択図】図２
2014198136.tif 000002
【特許請求の範囲】
【請求項１】
横方向及び縦方向を有し、肌対向面及び非肌対向面と、第１ウエスト域と、第２ウエスト域と、前記第１及び第２ウエスト域間に位置するクロッチ域とを有するシャーシと、前記シャーシの前記肌対向面に配置される吸収性パッドとを含む使い捨て着用物品において、
前記シャーシは、少なくとも前記クロッチ域の前記肌対向面において、前記吸収性パッドの輪郭形状を有するパッド配置標識を有し、
前記吸収性パッドは、前記縦方向において対向する第１端縁部と第２端縁部とを有し、
前記パッド配置標識は、前記吸収性パッドの前記第１端縁部を前記第１ウエスト域側に位置させる第１パッド配置標識と、前記吸収性パッドの前記第２端縁部を前記第１ウエスト域側に位置させる第２パッド配置標識とを有することを特徴とする前記着用物品。
【請求項２】
前記第１パッド配置標識は、前記第２パッド配置標識と異なる装飾要素を備える請求項１に記載の着用物品。
【請求項３】
前記シャーシは、吸液構造体と、前記吸液構造体の前記肌対向面側に位置する透液性の表面シートと、前記表面シートの両側部の前記肌対向面側に位置する不透液性のバリアシートとを有し、前記第１及び第２パッド配置標識は、前記バリアシートに位置する第１表示部と、前記バリアシート間において外部に露出する前記表面シートに位置する第２表示部とを有する請求項１又は２に記載の着用物品。
【請求項４】
前記吸収性パッドは、前記第１端縁部側に位置する幅広域と、前記第２端縁部側に位置する幅狭域とを有する請求項１〜３のいずれかに記載の着用物品。
【請求項５】
前記第１及び第２パッド配置標識は、前記シャーシの前記肌対向面に塗布された印刷インクによって表示される請求項１〜４のいずれかに記載の着用物品。
【請求項６】
前記第１及び第２パッド配置標識において、前記第１表示部は前記印刷インクを断続的に塗布して表示されたものであって、前記第２表示部は前記印刷インクを連続的に塗布して表示された請求項１〜５のいずれかに記載の着用物品。
【請求項７】
前記吸収性パッドは、少なくとも前記クロッチ域に位置する連結部を介して前記シャーシに着脱可能に取り付けられる請求項１〜６のいずれかに記載の着用物品。
【請求項８】
前記吸収性パッドは、着用者の身体の当接位置を標識させるための身体位置標識を有し、前記身体位置標識は、前記第１端縁部側に位置する第１身体位置標識と、前記第１身体位置標識と前記縦方向において離間して前記第２端縁部側に位置する第２身体位置標識とを有する請求項１〜６のいずれかに記載の着用物品。
【請求項９】
前記第１及び第２身体位置標識は、着用者の臀部の輪郭形状を有する請求項８に記載の着用物品。
【発明の詳細な説明】
【技術分野】
【０００１】
この発明は、使い捨て着用物品に関し、より詳しくは、主として大人用の、おむつの外形をなすシャーシと、シャーシの内面に配置される吸収性パッドとを有する使い捨て着用物品に関する。
【０００２】
従来、おむつの外形をなすシャーシと、その内面に配置された吸収性パッドとを備える開放型の使い捨て着用物品は公知である。例えば、特許文献１には、おむつの外形をなすシャーシと、シャーシの内面に取り外し可能に取り付けられた吸収性パッドとを備える使い捨て着用物品が開示されている。
【先行技術文献】
【特許文献】
【０００３】
【特許文献１】特開２０１０−７５５４２号公報
【発明の概要】
【発明が解決しようとする課題】
【０００４】
特許文献１に開示された使い捨て着用物品によれば、シャーシとその内面に取り外し可能に取り付けられた吸収性パッドとが組み合わせて構成されているので、排泄後において体液を吸収保持した吸収性パッドを交換することによって、再び着用者の身体に着用させることができる。したがって、排泄の度にシャーシを交換、廃棄する必要がなく、廃棄に要する手間を省くことができるとともに、経済性に優れる。
【０００５】
しかし、吸収性パッドの取付、交換時において、吸収性パッドをシャーシの適正な位置に配置しない場合には、排泄物の横漏れを生じる原因となるおそれがある。特に、性別等によってシャーシの内面における配置態様が異なる吸収性パッドを用いる場合には、適正な位置に配置しなければ所要の効果を奏することができない。
【０００６】
本発明の目的は、従来の使い捨て着用物品の改良にあり、視認容易なパッド配置標識を有し、吸収性パッドをシャーシの内面において性別ごとに互いに異なる適正な位置に配置することのできる開放型の使い捨て着用物品の提供に関する。
【課題を解決するための手段】
【０００７】
前記課題を解決するために、本発明は、横方向及び縦方向を有し、肌対向面及び非肌対向面と、第１ウエスト域と、第２ウエスト域と、前記第１及び第２ウエスト域間に位置するクロッチ域とを有するシャーシと、前記シャーシの前記肌対向面に配置される吸収性パッドとを含む使い捨て着用物品に関する。
【０００８】
この発明に係る使い捨て着用物品は  前記シャーシが、少なくとも前記クロッチ域の前記肌対向面において、前記吸収性パッドの外形状を有するパッド配置標識を有し、前記吸収性パッドは、前記縦方向において対向する第１端縁部と第２端縁部とを有し、前記パッド配置標識は、前記吸収性パッドの前記第１端縁部を前記第１ウエスト域側に位置させる第１パッド配置標識と、前記吸収性パッドの前記第２端縁部を前記第１ウエスト域側に位置させる第２パッド配置標識とを有することを特徴とする。
【発明の効果】
【０００９】
本発明に係る使い捨て着用物品の一つ以上の実施態様によれば、その内面に第１及び第２パッド配置標識を備え、性別によって吸収性パッドを縦方向において互いに逆向きとなるように適正な位置に配置させることができる。
【図面の簡単な説明】
【００１０】
【図１】本発明に係る使い捨て着用物品の一例として示す、開放型の使い捨ておむつの着用状態における斜視図。
【図２】おむつの分解斜視図。
【図３】おむつの一部破断展開平面図。
【図４】吸収性パッドの一部破断平面図。
【図５】吸収性パッドを第１パッド配置標識に沿って配置した状態におけるおむつの展開平面図。
【図６】図５のＶＩ−ＶＩ線に沿う模式的断面図。
【図７】吸収性パッドを第２パッド配置標識に沿って配置した状態におけるおむつの展開平面図。
【発明を実施するための形態】
【００１１】
＜第１実施形態＞
図１〜３を参照すると、使い捨て着用物品の一例として示す使い捨ておむつ１０は、縦方向Ｙ及び横方向Ｘを有し、肌対向面及びその反対側に位置する非肌対向面と、おむつの横方向Ｘの寸法を二等分する仮想縦中心線Ｐ−Ｐと、おむつの縦方向Ｙの寸法を二等分する仮想横中心線Ｑ−Ｑと、着用者の下部トルソを覆い、かつ、ベース機能を有するシャーシ１１と、シャーシ１１の内面に配置された吸収性パッド１２とを含む。吸収性パッド１２は、シャーシ１１のクロッチ域１５を中心として前後ウエスト域１３，１４に延びており、図２において、後記の第１パッド配置標識６１に沿って吸収性パッド１２を配置する場合の態様を実線で示し、後記の第２パッド配置標識６２に沿って吸収性パッド１２を配置する場合の態様を仮想線で示す。なお、開示のおむつ１０は、開放型おむつに属するが、本発明は、パンツ型（プルオン型）おむつの適用を排除するものではない。
【００１２】
＜シャーシ＞
シャーシ１１は、前ウエスト域（第１又は第２ウエスト域の一方）１３と、後ウエスト域（第１又は第２ウエスト域の他方）１４と、前後ウエスト域１３，１４間に位置するクロッチ域１５と、肌対向面側に位置する透液性の表面シート１６と、非肌対向面側に位置する裏面シート１７と、表面シート１６と裏面シート１７の間に介在された吸液構造体１８と、吸液構造体１８と裏面シート１７との間に位置する難透液性又は不透液性の防漏シート１９とを含む。表面シート１６の肌対向面側には、横方向Ｘにおいて互いに離間して縦方向Ｙへ延びる一対のバリアシート（封じ込めシート）２０が配置される。シャーシ１１は、吸液構造体１８を有することによって所要の体液吸収性能を備えるが、吸収性パッド１２を配置する限りにおいて、吸液構造体１８を有しない、吸収保持機能を有しない形態であってもよい。
【００１３】
＜表面シート、裏面シート＞
表面シート１６には、例えば、質量約１５〜３５ｇ／ｍ２、好ましくは約１８〜２３ｇ／ｍ２の親水性スパンボンド繊維不織布またはポイントボンド繊維不織布等の各種公知の繊維不織布を用いることができる。裏面シート１７には、例えば、質量約１０〜３０ｇ／ｍ２のスパンボンド・メルトブローン・スパンボンド（ＳＭＳ）繊維不織布またはスパンボンド繊維不織布を用いることができる。
【００１４】
＜吸液構造体＞
吸液構造体１８は、少なくともクロッチ域１５に位置するものであって、木材フラッフパルプ、超吸収性ポリマー粒子（ＳＡＰ）、オプションとして熱可塑性繊維を含む混合物から形成された吸収性の芯材と、芯材を包被するティッシュペーパ等の液拡散性シートとから構成される。
【００１５】
＜防漏シート＞
防漏シート１９には、難透液性、好ましくは、不透液性かつ通気性のプラスフィックフィルムを用いることができる。防漏シート１９は、吸液構造体よりも外形が大きく、その外周縁から延出しており、吸液構造体に吸収、保持された体液の外部への漏れを防止することができるものであって、表面シート１６と裏面シート１７とのうちのいずれか一方の内面に塗布されたホットメルト接着剤（図示せず）を介して固定される。
【００１６】
＜バリアシート＞
バリアシート２０は、表面シート１６の両側部に固定された近位縁部２３と、前後ウエスト域１３，１４において表面シート１６と裏面シート１７とに固定された前後固定端部２４，２５と、前後固定端部２４，２５間において縦方向Ｙへ延びるバリアシート２０の内側縁を内方へ折り返すことによって形成された遠位縁部２６とを有する。吸液構造体１８の両側縁の横方向Ｘの外側において、防漏シート１９の両側部とバリアシート２０の近位縁部２３との間には、縦方向Ｙへ延びる複数条のストリング状又はストランド状のレッグ弾性要素２８がホットメルト接着剤（図示せず）を介して伸長状態で収縮可能に固定される。また、バリアシート２０の遠位縁部２６には、縦方向Ｙへ延びるストリング状又はストランド状のカフ弾性要素２９が配設される。遠位縁部２６は、おむつ１０の着用状態において、カフ弾性要素２９の収縮作用によって表面シートの肌対向面から着用者の身体側へ離間し、排泄物の横漏れを防止するための一対のバリアカフ（立体カフ）３０が形成される。
【００１７】
シャーシ１１は、互いに縦方向Ｙに対向して横方向Ｘへ延びるエンドフラップ３１と、互いに横方向に対向して縦方向Ｙへ延びるサイドフラップ３２とを有する。エンドフラップ３１は、吸液構造体１８の前後端縁から縦方向Ｙの外方へ延出する表面シート１６、防漏シート１９、裏面シート１７及びバリアシート２０が互いに重ね合わされることによって形成される。また、バリアシート２０は、吸液構造体１８の両側縁から横方向Ｘの外方へ延出する、表面シート１６と、防漏シート１９、裏面シート１７及びバリアシート２０が互いに重ね合わされることによって形成される。サイドフラップ３２は、レッグ弾性要素２８と協働してガスケットカフ３２ａを形成する。エンドフラップ３１を形成する表面シート１６と裏面シート１７との間には、後ウエスト域１４の後端縁に沿って横方向へ延びる帯状のサイドパネル３３が配置される。
【００１８】
シャーシ１１の後ウエスト域１４におけるサイドフラップ３２には、サイドパネル３３が取り付けられる。サイドパネル３３は、サイドフラップ３２を形成するバリアシート２０と裏面シート１７との間に固定された固定部と、固定部から横方向Ｘの外側に延びる遠位部と、その外形をなす基材シート３６と、基材シート３６から横方向Ｘの外側に延出する二股状の補強シート３７とを有する。基材シート３６及び補強シート３７とは、プラスチックフィルム、繊維不織布、それらのラミネート等の比較的に剛性及び引張強度の高いシート材料から形成されており、補強シート３７の突出部の内面には、メカニカルファスナのフック群を有するファスナ部３８が配置される。
【００１９】
前ウエスト域１３の外面には、ファスナ部３８が係離脱可能に掛け止めされるメカニカルファスナのループ群を有するランディング又はターゲット域を画成するための受け止めシート４０が配置される。受け止めシート４０は、プラスチックフィルムにループ群を有する繊維不織布や編み物等をラミネートして形成されており、ホットメルト接着剤、熱シール、粘着テープ等の各種公知の接合手段によって前ウエスト域１３のほぼ外面全体に配置される。受け止めシート４０には、絵柄、模様又は文字等の装飾要素を有するイラストシートを用いることができる。ファスナ部３８を受け止めシート４０に離脱可能に掛け止めすることによって、ウエスト開口と一対のレッグ開口とが画定される。
【００２０】
＜吸収性パッド＞
図４を参照すると、吸収性パッド１２は、肌対向面側に位置する透液性の第１シート４１と、非肌対向面側に位置する不透液の第２シート４２と第１及び第２シート４１，４２間に介在された吸収性の芯材４３とを有する。第１シート４１は繊維不織布、第２シート４２は、通気性プラスチックフィルム又はそれらのラミネートシート等の公知の材料から形成することができる。芯材４３は、木材フラッフパルプ、超吸収性ポリマー粒子（ＳＡＰ）、オプションとして熱可塑性繊維（ステープルファイバ）を含む混合物から形成される。図示してないが、芯材４３は、好ましくは、ティッシュペーパ等の液拡散性シートによって包被される。また、吸収性パッド１２の非肌対向面（シャーシ１１との対向面）の中央部には、メカニカルファスナのフック群等の公知の掛け止め手段からなる第１連結部４５が位置する。なお、吸収性パッド１２は、全体として同一の幅寸法及び／又は幅広域４７が幅狭域４８よりも多量の芯材４３を含むことによって肉厚であって、高い吸収性能を有するものであってもよい。
【００２１】
＜第１及び第２身体位置標識＞
吸収性パッド１２は、さらに、曲状の互いに縦方向Ｙにおいて対向する円弧状の第１及び第２端縁部１２ａ，１２ｂと、第１及び第２端縁部１２ａ，１２ｂ間に位置して内方へ凸曲し、かつ、第２端縁１２ｂに向かうにつれて緩やかなカーブを描く両側部１２ｃ，１２ｄと、第１端縁部１２ａ側に位置する幅広域４７と第２端縁部１２ｂ側に位置する幅狭域４８とを有する。吸収性パッド１２の肌対向面には、幅狭域４８に位置する第１身体位置標識５１と、第１身体位置標識５１と縦方向Ｙにおいて離間して幅広域４７に位置する第２身体位置標識５２とを有する。第１及び第２身体位置標識５１，５２は、着用者の臀部の輪郭形状を成していて、それぞれ、中心点５１ａ，５２ａと、中心点５１ａ，５２ａの横方向Ｘの両側から延びる円弧状部位５１ｂ，５２ｂとを有する。第１身体位置標識５１は男性用、第２身体位置標識５２は女性用であって、使用者が瞬時に区別できるように互いに異なる色彩（例えば、第１身体位置標識５１は青色、第２身体位置標識５２は赤色等）を有することが好ましい。また、第１及び第２身体位置標識５１，５２は図示した態様のほかに、他の図形、模様、文字又はそれらの組み合わせによって形成することもできるが、本実施形態のように着用者の臀部の輪郭形状を有することによって、着用者は、瞬時にそれが臀部の適正な配置位置を示すものであると理解することができる。
【００２２】
＜第１及び第２パッド配置標識＞
再び、図２及び３を参照すると、シャーシ１１は、その内面において、吸収性パッド１２の輪郭形状を成す第１パッド配置標識６１と、それと横軸Ｑに関して対称に位置する第２パッド配置標識６２とを有する。第１パッド配置標識６１は、吸収性パッド１２をその幅広域４７が前ウエスト域１３側に位置するように配置させるために設けられており、表面シート１６の肌対向面に位置する、前ウエスト域１３側において縦方向Ｙの外方（前方）へ凸曲する部分とクロッチ域１５から後ウエスト域１４において後方へ凸曲する部分とからなる連続する太線で示された第１表示部６１ａと、バリアカフ３０の肌対向面に位置し、第１表示部６１ａ間において横方向Ｘの外側へ凸曲する不連続の太線で示された第２表示部６１ｂとを有する。一方、第２パッド配置標識６２は、吸収性パッド１２をその幅広域４７が後ウエスト域１４側に位置するように配置させるためのものであって、表面シート１６の肌対向面に位置する、後ウエスト域１４側において縦方向Ｙの外方（後方）へ凸曲する部分とクロッチ域１５から前ウエスト域１３にかけて前方へ凸曲する部分とからなる白抜き太線で示された第１表示部６２ａと、バリアカフ３０の肌対向面に位置し、第１表示部６２ａ間において横方向Ｘの外側へ凸曲する不連続の白抜き太線で示された第２表示部６２ｂとを有する。
【００２３】
また、シャーシ１１の表面シート１６の肌対向面における横軸Ｑと交差する中央部には、吸収性パッド１２をシャーシ１１に着離脱可能に止め着けするための第２連結部６５が配置される。吸収性パッド１２の非肌対向面に位置する第１連結部４５を第２連結部６５に止め着けすることによって、吸収性パッドは所要の位置に配置される。なお、おむつ１０は、メカニカルファスナのフック群を有する第１連結部４５又は第２連結部６５のいずれか一方のみを有し、それらに対向する側の吸収性パッド１２又はシャーシ１１の内面に直接連結することもできる。
【００２４】
吸収性パッド１２の第１及び第２身体位置標識５１，５２とシャーシ１１の第１及び第２パッド配置標識６１，６２とは、配置されるシートの表面に塗布された塗料や印刷インクで表示される。第１及び第２パッド配置標識６１，６２において、第１表示部６１ａ，６２ａは印刷インクを連続的に塗布して表示されており、第２表示部６１ｂ，６２ｂは印刷インクを非連続的に塗布して表示されている。第１及び第２パッド配置標識６１，６２は、着用者が瞬時に区別できるように、図示するように印刷インクの印刷パターンを変えたりすることによって、異なる装飾要素を有することが好ましい。また、第１及び第２パッド配置標識６１，６２が区別し易いように互いに異なる装飾要素を有することや、第２表示部６２ｂが第１表示部６２ａと異なる表示要素を有するのは、吸収性パッド１２をバリアシート２０の内面に位置させることを意味する点を含めて吸収性パッド１２の使用方法に関する説明をおむつ１０の包装パッケージに印刷して記すこともユーザーフレンドリーの観点から好ましい。
【００２５】
＜第１パッド配置形態（男性用）＞
図５及び６を参照すると、吸収性パッド１２が第１パッド配置標識６１に沿ってシャーシ１１の内面に配置されており、吸収性パッド１２の幅広域４７は前ウエスト域１３側に位置している。かかる吸収性パッド１２の配置形態は、おむつ１０を男性が使用する場合に適し、吸収性パッド１２の幅広域４７が前ウエスト域１３側に位置することによって、幅狭域４８が前ウエスト域１３側に位置する場合に比して身体の中心から前側に位置する男性の排尿器から排出される尿をより多く吸収、保持することができる。
【００２６】
また、着用者が男性用の吸収性パッド１２の配置標識が第１パッド配置標識６１であることをその色彩や模様等の装飾要素から認識できたとしても、その外形状に沿ってそのまま吸収性パッド１２をシャーシ１１の内面に配置した場合、吸収性パッド１２の一部がバリアカフ３０上に位置し、バリアカフ３０が通常の機能を発揮せず、体液の横漏れを誘発する原因となる。本実施形態においては、第１パッド配置標識６１の第１表示部６１ａが連続的に塗布された印刷インクであるのに対し、第２表示部６１ｂが不連続的に塗布された印刷インクから形成されており、それらの表示要素が異なることから、着用者は第２表示部６１ｂに沿う吸収性パッド１２の幅広域４７の両側はバリアカフ３０の内面に位置させることを理解し、バリアカフ３０の一部を捲り上げるようにして吸収性パッド１２をシャーシ１１内に配置することができる。
【００２７】
図６を参照すると、吸収性パッド１２の幅広域４７の両側をバリアカフ３０の内方に位置させることによって、おむつ１０の着用時において、少なくとも幅広域４７の両側の横方向Ｘの外側にはバリアカフ３０が起立し、吸収性パッド１２からの体液の横漏れを効果的に防止することができる。また、吸収性パッド１２が第１パッド配置標識６１に沿って配置された状態において、幅狭域４８に位置する第１身体位置標識５１は着用者の臀部と対向する。着用者は、第１パッド配置標識６１に沿って適正な位置に吸収性パッド１２を配置したとしても、身体の適正な位置に吸収性パッド１２を宛がうことが困難な場合があり、不適正な位置に当接させた場合には、着用中に吸収性パッドが位置ずれして体液の漏れを生じるおそれがあるところ、このように着用者の臀部の輪郭形状を有する第１身体位置標識５１と対向するように自らの臀部を宛がうことによって、身体に吸収性パッド１２を適正な位置に当接させることができる。
【００２８】
＜第２パッド配置形態（女性用）＞
図７を参照すると、吸収性パッド１２が第２パッド配置標識６２に沿ってシャーシ１１の内面に配置されており、吸収性パッド１２の幅広域４７は後ウエスト域１４側に位置している。かかる吸収性パッド１２の配置形態は、おむつ１０を女性が使用する場合に適し、吸収性パッド１２の幅広域４７が後ウエスト域１４側に位置することによって、幅狭域４７が後ウエスト域１４側に位置する場合に比して身体の中心から後側に位置する女性の排尿器から排出される尿をより多く吸収、保持することができる。また、幅狭域４７が前ウエスト域１３側に位置することによって歩行動作等において吸収性パッド１２が邪魔になることはない。吸収性パッド１２が第２パッド配置標識６２に沿って配置された状態において、第２身体位置標識５２が着用者の臀部と対向して位置するので、身体の適正な位置に吸収性パッド１２を宛がうことができる。
【００２９】
このように、本発明に係るおむつは、シャーシ１１の内面に吸収性パッド１２の配置位置を示す第１及び第２パッド配置標識６１，６２を有することによって、着用者はその性別によって適切な標識を使い分けることができる。すなわち、同一の吸収性パッド１２であってもその配置位置を縦方向Ｙにおいて逆向きに変えることによって、性別によってより体液を吸収、保持できるように使用することができるので、性別ごとに異なる形状の２つの吸収性パッドを用意する必要はない。また、第１及び第２パッド配置標識６１，６２の装飾要素が異なることによって瞬時に適正な配置標識を選択することできる。さらに、それらの第１及び第２表示部６１ａ，６２ａ，６１ｂ，６２ｂが互いに異なる表示要素であることから、吸収性パッド１２の一部をバリアカフ３０の内面に適正に配置することができ、また、第１及び第２身体位置標識５１，５２によって吸収性パッド１２を身体の適正な位置に当接させることができるので、男性及び女性の高齢者等は、体液の漏れを心配することなく、安心しておむつ１０を着用した状態のまま快適な日常生活を送ることができる。
【００３０】
使い捨ておむつ１０を構成する各構成要素及び材料には、特に明記されていない限りにおいて、本明細書に記載されている材料のほかに、この種の分野において通常用いられている、各種公知の材料を制限なく用いることができる。また、本明細書及び特許請求の範囲において使用されている「第１」及び「第２」の用語は、同様の要素、位置等を単に区別するために用いている。
【００３１】
以上に記載した本発明に関する開示は、少なくとも下記事項に要約することができる。
横方向及び縦方向を有し、肌対向面及び非肌対向面と、第１ウエスト域と、第２ウエスト域と、前記第１及び第２ウエスト域間に位置するクロッチ域とを有するシャーシと、前記シャーシの前記肌対向面に配置される吸収性パッドとを含む使い捨て着用物品において、前記シャーシは、少なくとも前記クロッチ域の前記肌対向面において、前記吸収性パッドの外形状を有するパッド配置標識を有し、前記吸収性パッドは、前記縦方向において対向する第１端縁部と第２端縁部とを有し、前記パッド配置標識は、前記吸収性パッドの前記第１端縁部を前記第１ウエスト域側に位置させる第１パッド配置標識と、前記吸収性パッドの前記第２端縁部を前記第１ウエスト域側に位置させる第２パッド配置標識とを有することを特徴とする前記着用物品。
【００３２】
上記段落００２９に開示した本発明に係る使い捨て着用物品は、少なくとも下記の実施の形態を含むことができる。
（１）前記第１パッド配置標識は、前記第２パッド配置標識と異なる装飾要素を備える。
（２）前記シャーシは、吸液構造体と、前記吸液構造体の前記肌対向面側に位置する透液性の表面シートと、前記表面シートの両側部の前記肌対向面側に位置する不透液性のバリアシートとを有し、前記第１及び第２パッド配置標識は、前記バリアシートに位置する第１表示部と、前記バリアシート間において外部に露出する前記表面シートに位置する第２表示部とを有する。
（３）前記吸収性パッドは、前記第１端縁部側に位置する幅広域と、前記第２端縁部側に位置する幅狭域とを有する。
（４）前記第１及び第２パッド配置標識は、前記シャーシの前記肌対向面に塗布された印刷インクによって形成される。
（５）前記第１及び第２パッド配置標識において、前記第１表示部は前記印刷インクを断続的に塗布して形成されたものであって、前記第２表示部は前記印刷インクを連続的に塗布して形成される。
（６）前記吸収性パッドは、少なくとも前記クロッチ域に位置する連結部を介して前記シャーシに着脱可能に取り付けられる。
（７）前記吸収性パッドは、着用者の身体の当接位置を標識させるための身体位置標識を有し、前記身体位置標識は、前記第１端縁部側に位置する第１身体位置標識と、前記第１身体位置標識と前記縦方向において離間して前記第２端縁部側に位置する第２身体位置標識とを有する。
（８）前記第１及び第２身体位置標識は、着用者の臀部の外形状を有する。
【符号の説明】
【００３３】
１０  使い捨て着用物品（使い捨ておむつ）
１１  シャーシ
１２  吸収性パッド
１２ａ  吸収性パッドの第１端縁部
１２ｂ  吸収性パッドの第２端縁部
１３  前ウエスト域（第１又は第２ウエスト域）
１４  後ウエスト域（第１又は第２ウエスト域）
１５  クロッチ域
１６  表面シート
３０  バリアカフ
６１  第１パッド配置標識
６２  第２パッド配置標識
６１ａ，６２ａ  第１表示部
６１ｂ，６２ｂ  第２表示部
４７  幅広域
４８  幅狭域
６５  連結部
Ｘ  横方向
Ｙ  縦方向
【図１】
2014198136.tif 000003
【図２】
2014198136.tif 000004
【図３】
2014198136.tif 000005
【図４】
2014198136.tif 000006
【図５】
2014198136.tif 000007
【図６】
2014198136.tif 000008
【図７】
2014198136.tif 000009